(57)【要約】クリップ部を有するゴルフボールマーカーが開示されている。本発明によるクリップ部を有するゴルフボールマーカーは、外力によって湾曲形態が反転して弾性変形される湾曲弾性体と、上記湾曲弾性体の一端部と連結され上記湾曲弾性体の変形によって上記湾曲弾性体と離隔または加圧接触する加圧片とを含み、ポケット、ベルト、帽子のつばまたは髪の毛に選択的に着脱され、マーカーとして使われるクリップ部；及び、上記クリップ部の一側から突出形成されて上記クリップ部がゴルフ場の地面に固定されるように構成される固定部；を含むことを特徴とする。【選択図】図１ａ
2019521827.tif 000002
【特許請求の範囲】
【請求項１】
外力によって湾曲形態が反転して弾性変形される湾曲弾性体と、上記湾曲弾性体の一端部と連結され上記湾曲弾性体の変形によって上記湾曲弾性体と離隔または加圧接触する加圧片とを含んで被固定部位に選択的に着脱され、マーカーとして使われるクリップ部；及び、
上記クリップ部の一側から突出形成されて上記クリップ部がゴルフ場の地面に固定されるように構成される固定部；を含むことを特徴とする
クリップ部を有するゴルフボールマーカー。
【請求項２】
上記湾曲弾性体は、
中央部が中空となるように互いに離隔配置される一対の弾性片の両端部のうち少なくとも一端部が反った状態で集まって湾曲された形態をなすことを特徴とする
請求項１に記載のクリップ部を有するゴルフボールマーカー。
【請求項３】
上記固定部は、
上記クリップ部がゴルフ場の地面に対して垂直方向に設置固定されるように、上記湾曲弾性体と上記加圧片の連結部から上記クリップ部の長手方向に沿って外側に少なくとも一つ以上が突出形成されるか、
上記クリップ部がゴルフ場の地面に対して水平方向に設置固定されるように、上記加圧片から上記クリップ部の長手方向に対して直角方向に少なくとも一つ以上が突出形成されることを特徴とする
請求項１に記載のクリップ部を有するゴルフボールマーカー。
【請求項４】
上記クリップ部の上記湾曲弾性体には、
ゴルフボールの位置表示のためにゴルフ場の地面に設置される上記クリップ部の視認性を高められるように表示部が結合され、
上記表示部は、
蝶を含む昆虫や動物をキャラクター化した形状からなることを特徴とする
請求項１に記載のクリップ部を有するゴルフボールマーカー。
【請求項５】
上記表示部は、
一側にＬＥＤランプが搭載されることを特徴とする
請求項４に記載のクリップ部を有するゴルフボールマーカー。
【請求項６】
外力によって湾曲形態が反転して弾性変形される湾曲弾性体と、上記湾曲弾性体の一端部と連結され上記湾曲弾性体の変形によって上記湾曲弾性体と離隔または加圧接触する加圧片とを含んで被固定部位に選択的に着脱され、マーカーとして使われるクリップ部；及び、
ゴルフボールの位置表示のためにゴルフ場の地面に設置される上記クリップ部の視認性を高められるように上記クリップ部に備えられるコイン形状の表示部；を含むことを特徴とするクリップ部を有する
ゴルフボールマーカー。
【請求項７】
上記湾曲弾性体は、
中央部が中空となるように互いに離隔配置される一対の弾性片の両端部のうち少なくとも一端部が反った状態で集まって湾曲された形態をなすことを特徴とする
請求項６に記載のクリップ部を有するゴルフボールマーカー。
【請求項８】
上記クリップ部には、
上記クリップ部をゴルフ場の地面に固定するための固定部が結合され、
上記固定部は、
上記クリップ部がゴルフ場の地面に対して垂直方向に設置固定されるように、上記表示部の外周面から上記クリップ部の長手方向に沿って外側に少なくとも一つ以上が突出形成されるか、
上記クリップ部がゴルフ場の地面に対して水平方向に設置固定されるように、上記表示部の下部面から上記クリップ部の長手方向に対して直角方向に少なくとも一つ以上が突出形成されることを特徴とする
請求項６に記載のクリップ部を有するゴルフボールマーカー。
【請求項９】
上記表示部は、
一側にＬＥＤランプが搭載されることを特徴とする
請求項６に記載のクリップ部を有するゴルフボールマーカー。
【請求項１０】
上記ゴルフボールマーカーは、上記表示部と着脱可能に結合される下端支持体をさらに含み、
上記下端支持体は、
上記表示部が回動可能に収容されるように構成された収容溝が形成されたボディ；
ゴルフ場のグリーンのライによって決定されたパターのストローク方向を指し示すように位置させた上記クリップ部のホールカップに対する回転程度を示すために上記ボディの上面に上記収容溝の縁に沿って形成されるストローク目盛；及び、
上記収容溝の中央に埋設され上記表示部を自力で固定させる磁性体；を含むことを特徴とする
請求項６に記載のクリップ部を有するゴルフボールマーカー。
【請求項１１】
上記ボディは、グリーンの傾斜方向を直観的に認識できるように、上面に傾斜方向指示手段をさらに含み、
上記傾斜方向指示手段は、
上方に開口された状態で上記収容溝の外郭に沿って環状に形成される環状溝；及び、
上記環状溝に収容された状態で自重によって移動して傾斜方向を指し示す夜光ボール；を含むことを特徴とする
請求項１０に記載のクリップ部を有するゴルフボールマーカー。
【請求項１２】
上記弾性片の表面には、
中長距離で使用者が上記中空を通してホールカップフラッグを見る時、上記ホールカップフラッグの大きさに基づいてホールカップまでの距離を測定できるように構成される距離測定目盛が形成されることを特徴とする
請求項２または７に記載のクリップ部を有するゴルフボールマーカー。
【請求項１３】
上記表示部は、
近距離でホールカップまでの距離を容易に判断できるように、一側に距離測定センサが搭載され、
上記ＬＥＤランプは上記距離測定センサと連動されてホールカップまでの距離に応じて変色されることを特徴とする
請求項５または９に記載のクリップ部を有するゴルフボールマーカー。
【請求項１４】
上記クリップ部は、ゴルフ場のグリーンのライによって決定されたホールカップ数に合わせてパターラインを設定できるように、
上記弾性片からその長手方向に沿って上記中空側に反復して突出形成される第１ホールカップ照尺、及び上記加圧片の中央部においてその長手方向に沿った等間隔の円形、楕円形または多角形の孔からなる第２ホールカップ照尺のうち少なくとも何れか一つを含むことを特徴とする
請求項２または７に記載のクリップ部を有するゴルフボールマーカー。
【発明の詳細な説明】
【技術分野】
【０００１】
本発明は、クリップ部を有するゴルフボールマーカーに関し、より詳しくは、クリップ形態からなり、ポケット、ベルト、帽子のつば又は髪の毛に選択的に着脱可能であり、それ自体でゴルフ場の地面に固定されると、ゴルフボールの位置を表示することができるゴルフボールマーカーに関する。
【背景技術】
【０００２】
フィールドゴルフ場でゴルフを楽しむ場合、ティーボックスやフェアウェイからホールカップのあるグリーンを攻略することになる。このように攻略されたグリーンで数人がプレーすることになると、通常、互いのゴルフボールがパッティングを邪魔しないように自分のゴルフボールがあるグリーン位置にゴルフボールマーカーを置く方式で自分がパッティングするゴルフボールの位置を表示する。
このようなゴルフボールマーカーは、一般的にコイン形状に製作されて使われているが、概して薄厚に形成されることから、傾斜度のあるグリーンやホールカップの反対側ではゴルフボールマーカーが容易に認識されにくいという問題があった。
【０００３】
このような問題点を改善するために、韓国登録特許第１０−１０４２５１８号（公告日：２０１１.０６.１７.）はゴルフ用ボールマーカーに関する技術を開示している。本先行技術は、所定厚さの板状のボディと、ボディの上部に一端がヒンジ結合され、ボールが置かれた位置からホールカップの方向を指し示す方向指示針と、方向指示針がボディに回動可能に結合されるようにする回動部材と、ボディの下部に多数個の支持ピンによって結合され、ボールマーカーがグリーン上に置かれるとき、流動しないように支持する重量体とを含む構成からなる。このような構成のゴルフ用ボールマーカーは、グリーンに置かれたゴルフ用ボールからホールカップへの方向を正確に提示することができ、グリーンの傾斜などの状況を迅速に把握するのを助けると共にホールカップの反対側からもよく見えるとの利点を提供することができる。
【０００４】
しかし、このような先行技術で提示されているゴルフ用ボールマーカーは、次のような点で依然として改善が求められており、継続的な改良の必要がある。
【０００５】
例えば、グリーン上で流動を防止するための重量物そのものは流動防止の利点があるが、その一方で重量が重いことから携帯上の不利益が伴うとの問題があり、さらに、身体や衣服類またはかばんなどに容易に固定され速やかに取り外して使えるようにする構造や構成がないため、携帯及び使用上の利便性が劣るとの問題がある。
【０００６】
また、方向指示針がボディに対して上方に回動する構造は、従来の薄厚のコイン形態に比べてグリーンのどこからでも確認できるため視認性は高まるものの、曇りの日や早朝または日没時のように日照量の少ない時には同様に容易な認識が困難なため、視認性をより確保することができる構造的な改善や構成の追加が求められている。
【発明の概要】
【発明が解決しようとする課題】
【０００７】
本発明の目的は、身体や衣服類またはかばんなどに容易且つ迅速に着脱可能な構造からなると共にそれ自体でゴルフボールマーカーの機能も果たすのはもちろんのこと、その長手方向がゴルフ場の地面に対して垂直または水平方向に堅固且つ容易に設置固定可能であり、ゴルフボールの位置が表示された地点で視認性がより高められるクリップ部を有するゴルフボールマーカーを提供することにある。
【課題を解決するための手段】
【０００８】
上記目的は、外力によって湾曲形態が反転して弾性変形される湾曲弾性体と、上記湾曲弾性体の一端部と連結され上記湾曲弾性体の変形によって上記湾曲弾性体と離隔または加圧接触する加圧片とを含んで被固定部位に選択的に着脱され、マーカーとして使われるクリップ部；及び、上記クリップ部の一側から突出形成されて上記クリップ部がゴルフ場の地面に固定されるように構成される固定部；を含むことを特徴とするクリップ部を有するゴルフボールマーカーによって達成される。
【０００９】
上記湾曲弾性体は、中央部が中空となるように互いに離隔配置される一対の弾性片の両端部のうち少なくとも一端部が反った状態で集まって湾曲された形態をなすことができる。
【００１０】
上記固定部は、上記クリップ部がゴルフ場の地面に対して垂直方向に設置固定されるように、上記湾曲弾性体と上記加圧片の連結部から上記クリップ部の長手方向に沿って外側に少なくとも一つ以上が突出形成されるか、上記クリップ部がゴルフ場の地面に対して水平方向に設置固定されるように、上記加圧片から上記クリップ部の長手方向に対して直角方向に少なくとも一つ以上が突出形成されることができる。
【００１１】
上記クリップ部の湾曲弾性体には、ゴルフボールの位置表示のためにゴルフ場の地面に設置される上記クリップ部の視認性を高められるように表示部が結合され、上記表示部は、蝶を含む昆虫や動物をキャラクター化した形状からなることができる。
【００１２】
上記表示部は、一側にＬＥＤランプが搭載されることができる。
【００１３】
外力によって湾曲形態が反転して弾性変形される湾曲弾性体と、上記湾曲弾性体の一端部と連結され上記湾曲弾性体の変形によって上記湾曲弾性体と離隔または加圧接触する加圧片とを含んで被固定部位に選択的に着脱され、マーカーとして使われるクリップ部；及び、ゴルフボールの位置表示のためにゴルフ場の地面に設置される上記クリップ部の視認性を高められるように上記クリップ部に備えられるコイン形状の表示部；を含むことができる。
【００１４】
上記湾曲弾性体は、中央部が中空となるように互いに離隔配置される一対の弾性片の両端部のうち少なくとも一端部が反った状態で集まって湾曲された形態をなすことができる。
【００１５】
上記クリップ部には、上記クリップ部をゴルフ場の地面に固定するための固定部が結合され、上記固定部は、上記クリップ部がゴルフ場の地面に対して垂直方向に設置固定されるように、上記表示部の外周面から上記クリップ部の長手方向に沿って外側に少なくとも一つ以上が突出形成されるか、上記クリップ部がゴルフ場の地面に対して水平方向に設置固定されるように、上記表示部の下部面から上記クリップ部の長手方向に対して直角方向に少なくとも一つ以上が突出形成されることができる。
【００１６】
上記表示部は、一側にＬＥＤランプが搭載されることができる。
【００１７】
上記ゴルフボールマーカーは、上記表示部と着脱可能に結合される下端支持体をさらに含み、上記下端支持体は、上記表示部が回動可能に収容されるように構成された収容溝が形成されたボディ；ゴルフ場のグリーンのライによって決定されたパターのストローク方向を指し示すように位置させた上記クリップ部のホールカップに対する回転程度を示すために上記ボディの上面に上記収容溝の縁に沿って形成されるストローク目盛；及び、上記収容溝の中央に埋設され上記表示部を自力で固定させる磁性体；を含むことができる。
【００１８】
上記ボディは、グリーンの傾斜方向を直観的に認識できるように、上面に傾斜方向指示手段をさらに含み、上記傾斜方向指示手段は、上方に開口された状態で上記収容溝の外郭に沿って環状に形成される環状溝；及び、上記環状溝に収容された状態で自重によって移動して傾斜方向を指し示す夜光ボール；を含むことができる。
【００１９】
上記弾性片の表面には、中長距離で使用者が上記中空を通してホールカップフラッグを見る時、上記ホールカップフラッグの大きさに基づいてホールカップまでの距離を測定できるように構成される距離測定目盛が形成されることができる。
【００２０】
上記表示部は、近距離でホールカップまでの距離を容易に判断できるように、一側に距離測定センサが搭載され、上記ＬＥＤランプは上記距離測定センサと連動されてホールカップまでの距離に応じて変色されることができる。
【００２１】
上記クリップ部は、ゴルフ場のグリーンのライによって決定されたホールカップ数に合わせてパターラインを設定できるように、上記弾性片からその長手方向に沿って上記中空側に反復して突出形成される第１ホールカップ照尺、及び上記加圧片の中央部においてその長手方向に沿った等間隔の円形、楕円形または多角形の孔からなる第２ホールカップ照尺のうち少なくとも何れか一つを含むことができる。
【発明の効果】
【００２２】
本発明によれば、ポケット、ベルト、帽子のつばまたは髪の毛などのような被固定部位に容易且つ迅速に着脱可能であり、それ自体でゴルフボールの位置表示に利用されることができるゴルフボールマーカーの機能を有するクリップ部が備えられることにより、携帯及び使用上の利便性向上を図ることができる。
【００２３】
また、クリップ部の長手方向がゴルフ場の地面に対して水平方向はもちろんのこと垂直方向に堅固且つ容易に設置固定されることにより、遠距離でもゴルフボールの位置に対する視認性が高められ、さらに個性のあるキャラクター形状の表示部がクリップ部に結合されることで差別性と共に視認性がより高まるとの効果がある。
【図面の簡単な説明】
【００２４】
【図１ａ】本発明の第１実施例によるクリップ部を有するゴルフボールマーカーの斜視図である。
【図１ｂ】図１ａの第１変形例による斜視図である。
【図１ｃ】図１ａの第２変形例による斜視図である。
【図２ａ】図１ａの着用状態をそれぞれ示した図面である。
【図２ｂ】図１ａのゴルフボールマーカーがグリーンに対して垂直方向に設置固定された状態を示した使用状態図である。
【図３ａ】本発明の第２実施例によるクリップ部を有するゴルフボールマーカーの斜視図である。
【図３ｂ】図３ａの第１変形例による斜視図である。
【図３ｃ】図３ａの第２変形例による斜視図である。
【図３ｄ】図３ａの第３変形例による斜視図である。
【図４】図３ａのゴルフボールマーカーがグリーンで使われた状態を示した使用状態図である。
【図５】図３ｂのゴルフボールマーカーを使ってホールカップまでの距離の大略を測定した状態を示した使用状態図である。
【図６】図３ｃのゴルフボールマーカーがグリーンで使われた状態を示した使用状態図である。
【図７】図３ｄのゴルフボールマーカーがグリーンで使われた状態を示した使用状態図である。
【発明を実施するための形態】
【００２５】
以下、添付図面を参照して本発明の望ましい実施例を詳しく説明すると、次の通りである。但し、本発明を説明するにあたって、既に公知の機能または構成に関する説明は、本発明の要旨を明瞭にするために省略することにする。
【００２６】
図１ａは本発明の第１実施例によるクリップ部を有するゴルフボールマーカーの斜視図であり、図１ｂは図１ａの第１変形例による斜視図であり、図１ｃは図１ａの第２変形例による斜視図であり、図２ａは図１ａの着用状態をそれぞれ示した図面であり、図２ｂは図１ａのゴルフボールマーカーがグリーンに対して垂直方向に設置固定された状態を示した使用状態図であり、図３ａは本発明の第２実施例によるクリップ部を有するゴルフボールマーカーの斜視図であり、図３ｂは図３ａの第１変形例による斜視図であり、図３ｃは図３ａの第２変形例による斜視図であり、図３ｄは図３ａの第３変形例による斜視図であり、図４は図３ａのゴルフボールマーカーがグリーンで使われた状態を示した使用状態図であり、図５は図３ｂのゴルフボールマーカーを使ってホールカップまでの距離の大略を測定した状態を示した使用状態図であり、図６は図３ｃのゴルフボールマーカーがグリーンで使われた状態を示した使用状態図であり、図７は図３ｄのゴルフボールマーカーがグリーンで使われた状態を示した使用状態図である。
【００２７】
発明の説明及び請求範囲などで方向を指称する上（上側）、下（下側）、左右（横側または側方）、前（前側）、後（後側）などは、権利限定の用途ではなく説明の便宜のために図面または構成間の相対的な位置を基準として定めたもので、以下で説明される各方向はこれと異なって特別に限定する場合を除き、これに基づくものである。
【００２８】
本発明によるクリップ部を有するゴルフボールマーカー１００、２００は、従来のコイン形態のマーカーが別個の付着具に結合されたうえでベルトなどに結着される方式で携帯するという不便を改善するためにマーカーと付着具を統合ないし一体化したもので、このような統合はゴルフボールマーカー１００、２００の携帯性及び利便性を向上させるためである。
【００２９】
また、本発明１００、２００は、従来のコイン形態のマーカーが薄厚であるためゴルフボールの位置が表示された地点で視認性が劣るという問題を根本的でありながら単純な着想の転換（以下の各構成）を通して解消するのはもちろん、ラウンドに必要な情報を即刻得ることができるようにするために案出されたものである。
【００３０】
（第１実施例）
上述のような機能や作用を果たすために、本発明の第１実施例によるクリップ部を有するゴルフボールマーカー１００は、図１ａに示されているように、クリップ部１１０及び固定部１２０ａ、１２０ｂを含んで構成され、追加として視認性の確保のために表示部１３０をさらに含む。
【００３１】
上述の各構成を具体的に説明すると、次の通りである。
【００３２】
クリップ部１１０は、ポケット、ベルト、帽子のつばまたは髪の毛などのような被固定部位に速やかに固定されるように構成されて携帯の便宜を提供すると共に、速やかに取り外されその自体でゴルフボールの位置を表示する手段として利用される構成要素であり、具体的に湾曲弾性体１１２及び加圧片１１４などを含んで構成される。
【００３３】
湾曲弾性体１１２は、外力によって両方向に湾曲形態が反転して弾性力を発揮する弓状に反った構成要素であり、中央部が中空Ｓとなるように互いに離隔配置される一対の弾性片１１２ａ、１１２ｂの両端部のうち少なくとも一端部が反った状態で集まって湾曲された形態をなし、反った程度に対応する弾性力を発揮することになる。
【００３４】
このとき、一対の弾性片１１２ａ、１１２ｂは、一端部が反った状態で集まったまま結合されていることから、弾性片１１２ａ、１１２ｂの互いに対向する内側領域は反り応力が作用することになり、該当応力以上の外力で湾曲弾性体１１２を変形させると、弾性片１１２ａ、１１２ｂの内側領域、特に中央部側を基準として反り方向が反転されながら湾曲弾性体１１２は両方向に反り変形がなされるようになる。
【００３５】
加圧片１１４は、湾曲弾性体１１２の一端部と連結された状態で湾曲弾性体１１２が遠くなる方向に反り変形する時、湾曲弾性体１１２と離隔しながら挿入空間Ｉを形成し、湾曲弾性体１１２が近くなる方向に反り変形する時、湾曲弾性体１１２と加圧接触しながら固定力を発揮するようになる構成要素である。
【００３６】
このような加圧片１１４は、湾曲弾性体１１２の長手方向と並んで形成されて上述の挿入空間Ｉの形成または固定力を発揮することになり、中央部には上述の固定力を強化できるように湾曲弾性体１１２側に折り曲げられる折曲部１１４ａが形成される。そして、湾曲弾性体１１２が加圧片１１４と近くなるように反り変形される場合、加圧片１１４も柔軟な弾性力を発揮できるように加圧片１１４には少なくとも一つ以上の長孔が形成されることができる。また、加圧片１１４の自由端側の幅は加圧片１１４が中空Ｓ側に挿入されないように中空Ｓの幅よりも広く形成されることが望ましい。
【００３７】
上述の湾曲弾性体１１２及び加圧片１１４は、板材形状の金属部材をプレス加工で切断し折り曲げる工程を通して一体に製作されてもよく、または合成樹脂を用いた射出成形を通して一体に製作されてもよい。
【００３８】
以上考察した構造からなるクリップ部１１０を通して、使用者は、本発明によるゴルフボールマーカー１００をポケットなどに容易且つ迅速に着脱できるようになる。
【００３９】
すなわち、使用者は、湾曲弾性体１１２に一方向の外力を加えて挿入空間Ｉを形成してから、図２ａに示されるような帽子のつば、ベルトまたは髪の毛の一側が挿入空間Ｉ内に位置するようにした後、加圧片１１４による固定力が発揮されるように湾曲弾性体１１２に他方向の外力を加える方式で、本発明によるゴルフボールマーカー１００をポケットや髪の毛などに手軽且つ容易に取り付け及び携帯できるようになる。そして、使用者は上述の方式の逆順によって、本発明によるゴルフボールマーカー１００を取り外した後、ゴルフボールの位置表示に使うことができるようになる。
【００４０】
また、クリップ部１１０は、所定の嵩を有し、一方向に長く形成されることから、それ自体だけでも従来のマーカーのような役割を十分果たすことができ、ゴルフボールが置かれた位置を表示しながら湾曲弾性体１１２及び加圧片１１４の自由端側（クリップ部１１０が広がったり狭まったりする側）がホールカップ１０またはパターラインＰＬを指向するように位置させると、以後パットプレーを速やかに進行することができるようになる。
【００４１】
固定部１２０ａ、１２０ｂは、上述のクリップ部１１０がゴルフ場の地面で流動せず堅固に固定されることができるように備えられた構成要素であり、クリップ部１１０の一側から外側に突出形成され、ゴルフ場の地面に滑らかに挿しこまれるように全体的にＴ字やＶ字形態の杭やピンからなる。
【００４２】
本発明の第１実施例による固定部１２０ａ、１２０ｂは、図１ａ及び図２ｂに示されているようにクリップ部１１０がゴルフ場の地面に対して垂直方向に設置固定されるように、湾曲弾性体１１２と加圧片１１４の連結部１１６からクリップ部１１０の長手方向に沿って外側に少なくとも一つ以上が突出形成されて構成される。このとき、突出形成される固定部１２０ａ、１２０ｂの個数は、クリップ部１１０の大きさによる携帯性及び視認性などを考慮するとき４個以下にすることが望ましく、図１ａでは１個の固定部１２０ａを示している。
【００４３】
このような固定部１２０ａを通してクリップ部１１０がゴルフ場の地面に対して垂直方向に固定されると、従来のコイン形態のマーカーを地面に置く水準に比べて堅固に位置固定されることができ、ゴルフ場の地面の上にその長さだけ顕著に突出されることにより視認性が大きく高まってゴルフボールの位置が表示された地点を即刻確認することができるようになり、これに基づいてラウンドに必要な攻略などを速やかに樹立することができるようになる。
【００４４】
表示部１３０は、ゴルフボールの位置表示のためにゴルフ場の地面に設置されるクリップ部１１０の視認性を高められるようにクリップ部１１０に備えられる構成要素であり、個性と装飾性、差別性のある形状、模様及び色彩の結合からなり、クリップ部１１０に設置されてマーカーとしての視認性をより高められるものであればどんなものでもよい。
【００４５】
但し、本発明の第１実施例による表示部１３０は、所定のキャラクター形状からなる。このとき、所定のキャラクター形状とは、熊または子犬などのような動物や蝶または蜂などのような昆虫の形状、映画キャラクター形状、漫画キャラクター形状、幾何学的な装飾的形状などを言う。このような形状には適切な彩色がなされてもよく、流麗な外観演出と視認性および装飾性の増大のためにきらめく素材が表面に使われてもよい。一例として、図１ａ乃至図２ｂでは蝶を形象化したキャラクター形状がクリップ部１１０の上面に結合されて表示部１３０として使われている。
【００４６】
このようなキャラクター形状を通して本発明によるゴルフボールマーカー１００は、ゴルフボールの位置に対する視認性の向上はもちろんのこと装飾的機能の増大により、身体や衣服またはかばんなどに取り付けて使われるアクセサリーとして充分に活用されることができるようになる。
【００４７】
一方、本発明の第１実施例の第１変形例による固定部１２０ｂは、図１ｂに示されているようにクリップ部１１０がゴルフ場の地面に対して水平方向に設置固定されるように、加圧片１１４からクリップ部１１０の長手方向に対して垂直方向に少なくとも一つ以上が突出形成されて構成される。このとき、突出形成される固定部１２０ｂの個数は、クリップ部１１０の大きさによる携帯性及び視認性などを考慮するとき４個以下にすることが望ましく、図１ｂでは１個の固定部１２０ｂを示している。
【００４８】
このような固定部１２０ｂを通してクリップ部１１０がゴルフ場の地面に対して水平方向に固定されると、従来のコイン形態のマーカーを地面に置く水準に比べて堅固に位置固定されることができ、ゴルフ場の地面の上にその厚さだけ突出されることにより視認性が高まってゴルフボールの位置が表示された地点を即刻確認することができるようになり、これに基づいてラウンドに必要な攻略などを速やかに樹立することができるようになる。
【００４９】
また、本発明の第１実施例の第１変形例による弾性片１１２ａ、１１２ｂの表面には、図１ｂに示されているように、中長距離（約５０ｍ〜２００ｍ、ウッドやサンドウェッジの使用距離）で使用者が中空Ｓを通してホールカップフラッグ１１を見るとき、ホールカップフラッグ１１の大きさに基づいてホールカップ１０までの距離を測定できるように構成される距離測定目盛１１８が形成される。
【００５０】
このとき、距離測定目盛１１８の各指示線は、図５に示されているような三角形状をなす視野角の相似比を用いて距離別に指示線を形成する。すなわち、ホールカップフラッグ１１の長さｈ１（約１７０ｃｍ）及び使用者の目とクリップ部１１０、２１０との間の隔離距離ｈ２（約３０ｃｍ〜９０ｃｍ前後で任意設定する）に基づいて目盛間の長さ（未知数ｘ）とホールカップ１０までの距離（未知数ｙ）に対する相関関係（ｘ、ｙ）を数学比例式の計算を通してそれぞれ算出することができる。このような数学比例式の計算は簡単な計算であるため、具体的な説明は省略する。
【００５１】
弾性片１１２ａ、１１２ｂ、２１２ａ、２１２ｂに形成された距離測定目盛１１８、２１８の使用方法を図５を参照して簡単に説明すれば、次の通りである。先ず、クリップ部２１０の一端部（上側または下側）または表示部を軽く把持し、中空Ｓを通してホールカップフラッグ１１が見えるように使用者の視野角を合わせながら使用者の目とクリップ部２１０との間の距離ｈ２を予め設定（３０ｃｍ〜９０ｃｍ前後で任意設定される）された隔離距離に調節する。それから、距離測定目盛２１８の下端部に形成された地面目盛２１８ａがホールカップフラッグ１１の下端部と一致するようにした後、中空Ｓを通して見えるホールカップフラッグ１１の上端部に対応する領域に形成された目盛（一例として、５０ｍ、６０ｍ、７５ｍ、１００ｍ、１５０ｍ、２００ｍ）に基づいて大略的なホールカップ１０までの距離ｙを測定する。
【００５２】
このような距離測定目盛１１８、２１８は、複雑で嵩の大きい電子式測定装置のようにホールカップ１０までの距離を精密に測定することはできないが、単純な構造で嵩の小さいクリップ部１１０、２１０に単純に形成されるだけで、ホールカップ１０までの距離を即刻且つ直観的に見積ることができるようにした点で意義がある。
【００５３】
これにより、高価な測定装置を別途携帯しなくてもよいため使用者の利便性が向上でき、必要な度に即刻の測定が可能であるため、クラブの選択などにおいて迅速な決定がなされることができ競技力の向上が図られる。このような距離測定目盛１１８、２１８がクリップ部１１０、２１０上に表示されるとき、上述の表示部１３０、２３０との干渉がないように表示部１３０、２３０はクリップ部１１０、２１０の端部側に片寄って設けられるのが望ましい。
【００５４】
また、本発明の第１実施例の第１変形例による表示部１３０の一側には、図１ｂに簡略に示されているように、ＬＥＤランプ１３２が外部に露出された適切な位置に一つ以上搭載されることができ、平たい水銀電池１３４によって電源が供給され表示部１３０の表面の一側にはオンオフスイッチ１３６が設けられることができる。このようなＬＥＤランプ１３２は、曇りの日や早朝または日没時間のように日照量の少ない時により容易にゴルフボールが置かれた位置を確認ないし認識できるようにするためのものである。
【００５５】
一方、本発明の第１実施例の第２変形例によるクリップ部１１０は、図１ｃに示されているように、弾性片１１２からその長手方向に沿って中空Ｓ側に反復して突出形成される第１ホールカップ照尺１１２ｃを含んで構成される。このとき、第１ホールカップ照尺１１２ｃの突起の一つは、一つのホールカップ数に対応することになる。
【００５６】
このような第１ホールカップ照尺１１２ｃは、ゴルフ場のグリーンのライ（Lie）によって決定されたホールカップ数に合わせてパターラインＰＬを使用者が簡単に設定することができるようにしてグリーン攻略の便益を使用者に提供するためのものである。ここで、ライとは、ゴルフボールがフィールド上に止まっている位置による周辺状態などを包括する用語であり、これに基づいて多様なフィールド攻略がなされることになる。
【００５７】
第１ホールカップ照尺１１２ｃの使用法を図７の拡大図を参照して説明すれば、次の通りである。先ず、使用者が本発明によるゴルフボールマーカー１１０を横方向に持って第１ホールカップ照尺１１２ｃに形成された突起間にホールカップ１０が正確に位置するようにする。以後、キャディや使用者等がゴルフ場のグリーンのライに基づいて決定したホールカップ数だけ移動された突起の位置（すなわち、パターラインＰＬ）とホールカップ１０の位置（ホールカップラインＨＬ）との間の大略の角度を記憶した後、ゴルフボールがある位置に本発明によるゴルフボールマーカー１１０を位置させながら該当角度をクリップ部１１０が指向するようにすることにより、パターラインＰＬをグリーン上に簡単に表示ないし設定することができるようになる。
【００５８】
（第２実施例）
本発明の第２実施例によるクリップ部を有するゴルフボールマーカー２００は、図３ａに示されているように、クリップ部２１０及びクリップ部２１０に備えられるコイン形状の表示部２３０を含んで構成される。ここで、クリップ部２１０及び表示部２３０は、上述の第１実施例に記載の内容と類似するため、具体的且つ詳しい説明は省略し、区別される差異点のみを簡略に記述することにする。
【００５９】
先ず、本発明の第２実施例による表示部２３０は、従来使われていたコイン形状に製作されてクリップ部２１０の一端部に設けられ、クリップ部２１０の視認性をより向上させるように構成されている。このとき、コイン形状の表示部２３０には多様な模様と文字が色彩と共に形成されることができる。
【００６０】
このように単純な構造及び形状からなる第２実施例によるゴルフボールマーカー２００は、図４に示されているように、クリップ部２１０が上部に湾曲されるように反り変形させた後、クリップ部２１０の長手方向がホールカップ１０を指向するようにゴルフ場の地面に水平方向に置かれると、上部に反り変形されたクリップ部２１０により視認性が高まってゴルフボールの位置が表示された地点及びホールカップラインＨＬを即刻確認することができるようになり、これに基づいてラウンドに必要な攻略などを速やかに樹立することができるようになる。また、上部に反り変形されたクリップ部２１０を容易に把持できるようになることにより、本発明によるゴルフボールマーカー２００の回収が容易になされることができる。
【００６１】
一方、図３ｂに示されているように、本発明の第２実施例の第１変形例によるゴルフボールマーカー２００は、ゴルフ場の地面に対する堅固な固定力の確保のための固定部２２０ａ、２２０ｂと、距離測定目盛２１８と、方向指示及び勾配情報などを提供するように構成される下端支持体２４０と、ＬＥＤランプ２３２などをさらに含む。
【００６２】
ここで、固定部２２０ａ、２２０ｂ及び距離測定目盛２１８は、上述の第１実施例に記載の内容と類似するため、具体的且つ詳しい説明は省略し、区別される差異点のみを簡略に記述することにする。
【００６３】
先ず、固定部２２０ｂは、クリップ部２１０がゴルフ場の地面に対して水平方向に設置固定されるように、表示部２３０の下部面からクリップ部２１０の長手方向に対して垂直方向に少なくとも一つ以上が突出形成されて構成される。また、図３ｂに示されてはいないが、クリップ部２１０がゴルフ場の地面に対して垂直方向に設置固定されるように、表示部２３０の外周面からクリップ部２１０の長手方向に沿って外側に少なくとも一つ以上が突出形成される固定部２２０ａが備えられることができるのは勿論である。
【００６４】
そして、本発明の第２実施例の第１変形例による表示部２３０は、図３ｂに示されているように、近距離（約２０ｍ前後）からホールカップ１０までの距離を容易に判断できるように一側（望ましくはクリップ部２１０側）に距離測定センサ２３８が搭載される。また、第１実施例のようにＬＥＤランプ１３２、２３２が外部に露出された適切な位置に一つ以上搭載された状態で距離測定センサ２３８と連動されてホールカップ１０までの距離（一例として、２０ｍ、１５ｍ、１０ｍｍ、５ｍ、３ｍ）によって変色されるように具現される。
【００６５】
このとき、距離測定センサ２３８及びＬＥＤランプ２３２は、平たい水銀電池２３４によって電源が供給され、表示部２３０の表面の一側にはオンオフスイッチ２３６が設けられることができる。このようなＬＥＤランプ２３２は、曇りの日や早朝または日没時間のように日照量の少ない時でさえゴルフボールの位置把握を容易にすると共に、ホールカップ１０までの距離情報も直観的な色彩変化を通して使用者に即刻提供することになる。
【００６６】
一方、本発明の第２実施例の第２変形例によるゴルフボールマーカー２００は、図３ｃに示されているように下端支持体２４０をさらに含む。このような下端支持体２４０は、上述の第２実施例によるゴルフボールマーカー２００の表示部２３０と着脱可能に結合され、追加的な機能を果たす構成要素であり、ボディ２４２、ストローク目盛２４４及び磁性体２４６を含んで構成される。
【００６７】
ボディ２４２は、表示部２３０が回動可能に収容されるように構成される収容溝２４２ａが中央部に形成された円板形状の構成要素である。このとき、ボディ２４２の上面にはグリーンの傾斜方向を即刻且つ直観的に認識できるように環状溝２５２及び夜光ボール２５４からなる傾斜方向指示手段２５０がさらに形成されることができる。
【００６８】
環状溝２５２は、上方に開口された状態で収容溝２４２ａの外郭に沿って環状に形成される構成要素であり、開口された領域を通して後述の夜光ボール２５４が離脱しないように開口された領域にはこれを遮蔽する透明材質のカバーリングが形成されることができ、または、開口された領域の一側端部から中央側に突出された離脱防止突起が形成されることができる。
【００６９】
夜光ボール２５４は、環状溝２５２に収容された状態で自重によって移動して傾斜方向を指し示す構成要素であり、環状溝２５２の幅よりも小さい直径の球体に製作される。このとき、夜光ボール２５４の夜光成分を通して曇りの日や早朝または日没時間のように日照量の少ない時にも、使用者がゴルフ場の地面の傾斜方向を直観的且つ明確に確認することができるようになる。
【００７０】
上述のような傾斜方向指示手段２５０は、即刻の判断力が重要なゴルフラウンドで傾斜方向に関する情報を即刻且つ明確に提示してくれることにより、グリーンの流れやライ（lie）の把握に寄与し、ひいてはラウンドの利便性及び競技力の向上を図る。
【００７１】
ストローク目盛２４４は、ゴルフ場のグリーンのライによって決定されたパターのストローク方向を指し示すように位置させたクリップ部２１０のホールカップ１０に対する回転程度を示すことができるように備えられた構成要素であり、ボディ２４２の上面に収容溝２４２ａの縁に沿って一定間隔で形成される。このとき、ストローク目盛２４４は、目盛間隔がそれぞれ１０゜を表示できるように計３６個の目盛からなり、他の目盛と区別されるホールカップ目盛２４４ａをいずれか一側に形成することになる。
【００７２】
このようなストローク目盛２４４の活用方法は、図６に示されているように下端支持体２４０のホールカップ目盛２４４ａがホールカップラインＨＬを指向するように下端支持体２４０をゴルフ場の地面に位置させた後、グリーンのライによって決定（普通、ホールカップ１０から左側または右側に何度かで決定）されたパターラインＰＬとクリップ部２１０の長手方向が相互一致するように表示部２３０を回転させる方式でなされる。
【００７３】
このようにクリップ部２１０の長手方向がパターラインＰＬを視覚的に明確に表示してくれれば、以後実際にパットを試みる際、即刻の攻略がなされることができ、先になされたパットに基づいて自分のパターラインＰＬを適切に修正または変更することができるようになる。
【００７４】
そして、磁性体２４６は、金属製の表示部２３０が下端支持体２４０から容易に離脱せずに回転された状態を維持するために備えられた構成要素であり、収容溝２４２ａの中央に埋設され表示部２３０を自力で固定させる。
【００７５】
図３ｄに示されているように、本発明の第２実施例の第３変形例によるクリップ部２１０は、加圧片２１４の中央部においてその長手方向に沿って等間隔をなし、円形、楕円形または多角形の孔からなる第２ホールカップ照尺２１４ｃを含んで構成される。このとき、第２ホールカップ照尺２１４ｃの孔の間の空間と孔一つは、それぞれ一つのホールカップ数に対応することになる。第２ホールカップ照尺２１４ｃは、先に記載の第１ホールカップ照尺１１２ｃと共に第１、２実施例に全て併用されて使われることができるのは勿論である。
【００７６】
このような第２ホールカップ照尺２１４ｃは、第１ホールカップ照尺１１２ｃと同様にゴルフ場のグリーンのライ（Lie）によって決定されたホールカップ数に合わせてパターラインＰＬを使用者が簡単に設定することができるようにしてグリーン攻略の便益を使用者に提供するためのものである。
【００７７】
第２ホールカップ照尺２１４ｃの使い方を図７の拡大図を参照して説明すれば、次の通りである。先ず、使用者が本発明によるゴルフボールマーカー１１０を横方向に持って第２ホールカップ照尺２１４ｃに形成された孔にホールカップ１０が正確に位置するようにする。以後、キャディや使用者等がゴルフ場のグリーンのライに基づいて決定されたホールカップ数だけ移動された孔（または孔の間の空間）の位置（すなわち、パターラインＰＬ）とホールカップ１０の位置（ホールカップラインＨＬ）との間の大略の角度を記憶した後、ゴルフボールがある位置に本発明によるゴルフボールマーカー１１０を位置させながら該当角度をクリップ部１１０が指向するようにすることにより、パターラインＰＬをグリーン上に簡単に表示ないし設定することができるようになる。
【００７８】
また、図７のように、本発明の第２実施例の第３変形例によるゴルフボールマーカー２００が下端支持体２４０と共に使われる場合、ホールカップ目盛２４４ａがホールカップラインＨＬを指向するようにした後、第２ホールカップ照尺２１４ｃを通してパターラインＰＬとホールカップラインＨＬとの間の大略の角度を記憶した後、ホールカップ目盛２２４ａに対してクリップ部２１０が該当角度を反映するように位置させながらゴルフボールマーカー１１０を収容溝２４２ａに装着させることにより、パターラインＰＬをグリーン上に簡単に表示ないし設定することができるようになる。
【００７９】
本発明の第２実施例で言及した構成のうち第１実施例で説明されていない構成であっても全て第１実施例に適用可能であることは勿論のことである。
【００８０】
先に本発明の特定の実施例が説明及び図示されているが、本発明は記載の実施例に限定されるものではなく、本発明の思想及び範囲を逸脱しない範囲で多様な修正及び変形が可能であることは、本技術の分野における通常の知識を有する者にとって自明なことである。従って、かかる修正例または変形例は本発明の技術的思想や観点から個別的に理解されてはならず、変形された実施例は本発明の特許請求の範囲に属するものとされなければならない。
【産業上の利用可能性】
【００８１】
本発明によるクリップ部を有するゴルフボールマーカーによれば、ポケット、ベルト、帽子のつばまたは髪の毛などの被固定部位に容易且つ迅速に着脱され、それ自体でゴルフボールの位置表示に利用されることができるクリップ部が備えれることにより、携帯及び使用上の利便性が向上し、クリップ部の長手方向がゴルフ場の地面に対して水平方向はもちろんのこと垂直方向に堅固且つ容易に設置固定されることにより、遠距離でもゴルフボールの位置に対する視認性が高まってラウンドの利便性及び競技力の向上が図られるという点で、既存技術の限界を越えることにより、関連技術に対する利用だけでなく適用される装置の市販または営業の可能性が十分なばかりか、現実的に明白に実施可能な程度であるため、産業上の利用可能性がある発明である。
【符号の説明】
【００８２】
１０：ホールカップ
１１：ホールカップフラッグ
１００：本発明の第１実施例によるクリップ部を有するゴルフボールマーカー
２００：本発明の第２実施例によるクリップ部を有するゴルフボールマーカー
１１０、２１０：クリップ部
１１２、２１２：湾曲弾性体
１１２ａ、１１２ｂ、２１２ａ、２１２ｂ：弾性片
１１４、２１４：加圧片
１１４ａ：折曲部
１１６：連結部
１１８、２１８：距離測定目盛
１２０ａ、１２０ｂ、２２０ａ、２２０ｂ：固定部
１３０、２３０：表示部
１３２、２３２：ＬＥＤランプ
１３４、２３４：水銀電池
１３６、２３６：オンオフスイッチ
２３８：距離測定センサ
２４０：下端支持体
２４２：ボディ
２４２ａ：収容溝
２４４：ストローク目盛
２４４ａ：ホールカップ目盛
２４６：磁性体
２５０：傾斜方向指示手段
２５２：環状溝
２５４：夜光ボール
【図１ａ】
2019521827.tif 000003
【図１ｂ】
2019521827.tif 000004
【図１ｃ】
2019521827.tif 000005
【図２ａ】
2019521827.tif 000006
【図２ｂ】
2019521827.tif 000007
【図３ａ】
2019521827.tif 000008
【図３ｂ】
2019521827.tif 000009
【図３ｃ】
2019521827.tif 000010
【図３ｄ】
2019521827.tif 000011
【図４】
2019521827.tif 000012
【図５】
2019521827.tif 000013
【図６】
2019521827.tif 000014
【図７】
2019521827.tif 000015
【国際調査報告】
2019521827.tif 000016
2019521827.tif 000017
2019521827.tif 000018
2019521827.tif 000019